(57)【要約】【課題】制動により戸当り時の衝撃や跳ね返りを防止することができ、制動具合を下方から簡単に調整することができる引き戸ストッパー装置を提供する。【解決手段】引き戸パネル１の上端部分に設けたランナー２を上レール３に走行自在に係合し、引き戸パネル１の走行方向の端部付近の上端部分にストッパー片４を突設し、このストッパー片４を制動して着脱自在に受け止めるストッパー受けバネ５を同上レール３の端部付近に設けてなる引き戸ストッパー装置において、引き戸パネル１の上端部分の背方にランナー２を備えたランナーベース６を突設し、このランナーベース６の上側にストッパー片４を引き戸パネル１の走行方向で移動自在となるように突設し、このストッパー片４をその制動距離が適切となる位置で固定する固定具７を同ランナーベース６の下側に設けた。【選択図】　　　　　図１
2004116231.tif 000002
【特許請求の範囲】
【請求項１】
引き戸パネルの上端部分に設けたランナーを上レールに走行自在に係合し、引き戸パネルの走行方向の端部付近の上端部分にストッパー片を突設し、このストッパー片を制動して着脱自在に受け止めるストッパー受けバネを同上レールの端部付近に設けてなる引き戸ストッパー装置であって、引き戸パネルの上端部分の背方にランナーを備えたランナーベースを突設し、このランナーベースの上側にストッパー片を引き戸パネルの走行方向で移動自在となるように突設し、このストッパー片をその制動距離が適切となる位置で固定する固定具を同ランナーベースの下側に設けてなる引き戸ストッパー装置。
【請求項２】
ストッパー受けバネが対向する対のバネ片を有し、両バネ片でストッパー片を挟持して制動し受け止めるものであり、このストッパー片を引き戸パネルの走行方向で移動させ、両バネ片間に挿入される深さを変化させることによって、同ストッパー片の制動距離を調整するものであることを特徴とする請求項１記載の引き戸ストッパー装置。
【請求項３】
両バネ片の間隔が端部側程巾狭に形成されていることを特徴とする請求項２記載の引き戸ストッパー装置。
【請求項４】
ランナーベースの上側に引き戸パネルの走行方向で複数のランナーを並設し、このランナーの並びに揃えてストッパー片を同ランナーベースの端部付近に突設したことを特徴とする請求項１〜３のいずれか一つに記載の引き戸ストッパー装置。
【請求項５】
ランナーベースに引き戸パネルの走行方向に長い長孔を穿設し、この長孔に下側からビスでなる固定具を挿通すると共に、この固定具の上端に略円柱状のストッパー片を螺着結合して、同固定具及びストッパー片を移動自在且つ適切となる位置で挟着固定自在に設けたことを特徴とする請求項１〜４のいずれか一つに記載の引き戸ストッパー装置。
【請求項６】
断面略Ｌ字型の取付具の一辺を引き戸パネルの背面に取着固定し、他辺をランナーベースとして略水平に突設したことを特徴とする請求項１〜５のいずれか一つに記載の引き戸ストッパー装置。
【発明の詳細な説明】
【０００１】
【発明の属する技術分野】
本発明は、引き戸パネルの上端部分に突設されたストッパー片が着脱自在に受け止められるストッパー受けバネを上レールの端部付近に設けてなる引き戸ストッパー装置に関するものである。
【０００２】
【従来の技術】
従来から、引き戸パネルの上端部分に突設されたストッパー片が着脱自在に受け止められるストッパー受けバネを、上レールの端部付近に設けてなる引き戸ストッパー装置は知られている（実開平５−２１０７４号公報参照）。この場合には、ストッパー片がランナーを兼ねて設けられており、このストッパー片はストッパー受けバネの対のバネ片間で挟持して受け止め係止られるものである。したがって、この場合、引き戸パネルを戸当り部分に向けて引いたときに、跳ね返りを防止することができて、所定位置に係止することができ、又、ストッパー受けバネをばね鋼材で形成しているので、長期間の使用に対しても確実な係止状態を確保することができる。
【０００３】
しかしながら、この引き戸ストッパー装置にあっては、ストッパー片がストッパー受けバネで受け止め係止される際に、若干の制動（ブレーキ作用）は生じるものの、同ストッパー片とストッパー受けバネとの係止位置及び係止状態が一定であるため、制動距離や制動力は一定となる。それ故、建て付け施工後に制動の具合が悪くなった場合、この制動具合を調整することはできず、引き戸パネルを戸当り部分に向けて引いたときに、同引き戸パネルが途中で停止したり跳ね返ったりするという問題を生じるものであった。
【０００４】
又、引き戸パネルの上端部分に突設されたストッパー片が着脱自在に摺接されて摩擦抵抗で制動される制動機構を、上レールの端部付近に設けてなる引き戸ストッパー装置も知られている（特開２００１−１２１４０号公報参照）。この場合には、平板状のストッパー片がランナーの上側に付設されており、制動機構は下方に開口した略コ字型の上レールの内部上面に設けられており、この制動機構に同ストッパー片が摺接されることによって、制動（ブレーキ作用）を生じるものである。
【０００５】
したがって、この場合、引き戸パネルを閉じるときに、制動力が作用して衝撃なく緩やかに閉じられ、跳ね返りも防止されて、同引き戸パネルは所定位置で停止される。しかも、この場合、引き戸パネルを開けるときの制動力が閉じるときの制動力よりも小さくなるような制動機構とされているため、同引き戸パネルは軽く開けられる。又、制動機構による制動力を調整することができるようになっているので、施工者（使用者）は所望の制動具合を得ることが可能である。
【０００６】
しかしながら、この引き戸ストッパー装置にあっては、制動具合を調整することができるものではあるものの、制動機構が複雑な構造で上レールの内部に設けられており、同制動具合の調整作業はこの上レールの内部で行われるものであって、特に建て付け施工後に極めて困難な作業となるという問題があった。又、この場合の制動具合の調整は、制動力を変化させるものであって制動距離を変化させるものでないため、制動（ブレーキ作用）のかかる始点位置を変化調整することができないという問題もあった。
【０００７】
【特許文献１】
実開平５−２１０７４号公報
【０００８】
【特許文献２】
特開２００１−１２１４０号公報
【０００９】
【発明が解決しようとする課題】
本発明は、上記従来の技術における問題を悉く解決するために発明されたもので、その課題は、走行される引き戸パネルを制動してその戸当り時の衝撃や跳ね返りを防止することができ、同制動具合を建て付け施工後であっても下方から簡単に調整することができる引き戸ストッパー装置を提供することである。
【００１０】
【課題を解決するための手段】
本発明の請求項１記載の引き戸ストッパー装置は、引き戸パネルの上端部分に設けたランナーを上レールに走行自在に係合し、引き戸パネルの走行方向の端部付近の上端部分にストッパー片を突設し、このストッパー片を制動して着脱自在に受け止めるストッパー受けバネを同上レールの端部付近に設けてなる引き戸ストッパー装置であって、引き戸パネルの上端部分の背方にランナーを備えたランナーベースを突設し、このランナーベースの上側にストッパー片を引き戸パネルの走行方向で移動自在となるように突設し、このストッパー片をその制動距離が適切となる位置で固定する固定具を同ランナーベースの下側に設けてなる。
【００１１】
したがって、この場合、ストッパー片がストッパー受けバネによって制動され着脱自在に受け止められるため、引き戸パネルはブレーキ作用により緩やかに走行された後に正確な位置で停止され、その際の衝撃や跳ね返りが防止される。しかも、ストッパー片を引き戸パネルの走行方向で移動させ、制動距離が適切となる位置で同ストッパー片を固定具にて固定することができるので、制動具合を調整して戸当り時の衝撃や跳ね返りを確実に防止することができ、所望により制動のかかる始点位置を変化調整することもできる。
【００１２】
更に、引き戸パネルの上端部分の背方に突設されるランナーベースの上側にストッパー片が設けられ、このストッパー片をその制動距離が適切となる位置で固定する固定具が同ランナーベースの下側に設けられているため、前記制動具合を調整する作業は、建て付け施工後であっても、開放された下方から同固定具を操作して簡単に行うことができるものとなる。
【００１３】
本発明の請求項２記載の引き戸ストッパー装置は、上記請求項１記載の引き戸ストッパー装置において、ストッパー受けバネが対向する対のバネ片を有し、両バネ片でストッパー片を挟持して制動し受け止めるものであり、このストッパー片を引き戸パネルの走行方向で移動させ、両バネ片間に挿入される深さを変化させることによって、同ストッパー片の制動距離を調整するものであることを特徴とする。
【００１４】
したがって、この場合は特に、ストッパー受けバネが対向する対のバネ片を有し、両バネ片でストッパー片を挟持して制動し受け止めるものであるため、同ストッパー片は安定した状態で制動されて受け止められ、正確な位置で確実に停止される。しかも、ストッパー片を引き戸パネルの走行方向で移動させることによって、その両バネ片間に挿入される深さが変化され、これにより、同ストッパー片の制動距離を調整するものであるため、同制動距離は精度良く微調整され得るものとなる。
【００１５】
本発明の請求項３記載の引き戸ストッパー装置は、上記請求項２記載の引き戸ストッパー装置において、両バネ片の間隔が端部側程巾狭に形成されていることを特徴とする。
【００１６】
したがって、この場合は特に、ストッパー片を挟持して制動し受け止める両バネ片の間隔が端部側程巾狭に形成されているため、この両バネ片間に同ストッパー片が入る方向では徐々に制動力が大きくなり出る方向では徐々に制動力が小さくなって、戸当り時には急ブレーキがかからず引き戸パネルを逆方向へ走行させるときには抵抗が徐々に軽くなり、同引き戸パネルの開閉動作はスムーズなものとなる。
【００１７】
本発明の請求項４記載の引き戸ストッパー装置は、上記請求項１〜３のいずれか一つに記載の引き戸ストッパー装置において、ランナーベースの上側に引き戸パネルの走行方向で複数のランナーを並設し、このランナーの並びに揃えてストッパー片を同ランナーベースの端部付近に突設したことを特徴とする。
【００１８】
したがって、この場合は特に、ランナーベースの上側に並設される複数のランナーの並びに揃えてストッパー片が突設されるので、各ランナーの走行に伴って同ストッパー片はストッパー受けバネに対しスムーズに着脱される。
【００１９】
本発明の請求項５記載の引き戸ストッパー装置は、上記請求項１〜４のいずれか一つに記載の引き戸ストッパー装置において、ランナーベースに引き戸パネルの走行方向に長い長孔を穿設し、この長孔に下側からビスでなる固定具を挿通すると共に、この固定具の上端に略円柱状のストッパー片を螺着結合して、同固定具及びストッパー片を移動自在且つ適切となる位置で挟着固定自在に設けたことを特徴とする。
【００２０】
したがって、この場合は特に、ランナーベースに穿設された長孔に挿通される固定具をこの長孔に沿って移動させることにより、同固定具と共にストッパー片が引き戸パネルの走行方向に移動されてその位置調整が行われる。そして、ストッパー片が適切位置となった状態で、固定具を同ストッパー片に螺合締め付けることにより、両者はランナーベースに対して確実に挟着固定される。これによって、制動具合の調整作業がより確実で容易なものとなり、そのための構造も簡単となる。
【００２１】
本発明の請求項６記載の引き戸ストッパー装置は、上記請求項１〜５のいずれか一つに記載の引き戸ストッパー装置において、断面略Ｌ字型の取付具の一辺を引き戸パネルの背面に取着固定し、他辺をランナーベースとして略水平に突設したことを特徴とする。
【００２２】
したがって、この場合は特に、引き戸パネルの背面に一辺が取着固定される断面略Ｌ字型の取付具の他辺がランナーベースとして略水平に突設されるので、この取付具を同引き戸パネルの背面に取着固定することで、ランナー及びストッパー片は同引き戸パネルの上端部分にまとめて容易に設けられるものとなり、その取付構造も簡単となる。
【００２３】
【発明の実施の形態】
図１〜５は、本発明の請求項１〜６全てに対応した一実施形態である引き戸ストッパー装置を示している。この引き戸ストッパー装置は、引き戸パネル１の上端部分に設けたランナー２を上レール３に走行自在に係合し、引き戸パネル１の走行方向の端部付近の上端部分にストッパー片４を突設し、このストッパー片４を制動して着脱自在に受け止めるストッパー受けバネ５を同上レール３の端部付近に設けてなる。
【００２４】
そして、この場合に、引き戸パネル１の上端部分の背方にランナー２を備えたランナーベース６を突設し、このランナーベース６の上側にストッパー片４を引き戸パネル１の走行方向で移動自在となるように突設し、このストッパー片４をその制動距離が適切となる位置で固定する固定具７を同ランナーベース６の下側に設けている。
【００２５】
又、この実施形態の引き戸ストッパー装置では、ストッパー受けバネ５が対向する対のバネ片８を有し、両バネ片８でストッパー片４を挟持して制動し受け止めるものである。この場合に、両バネ片８の間隔は端部側程巾狭に形成されており、ストッパー片４を引き戸パネル１の走行方向で移動させ、両バネ片８間に挿入される深さを変化させることによって、同ストッパー片４の制動距離を調整するものである。
【００２６】
又、この実施形態の引き戸ストッパー装置では、ランナーベース６の上側に引き戸パネル１の走行方向で複数のランナー２を並設し、このランナー２の並びに揃えてストッパー片４を同ランナーベース６の端部付近に突設している。この場合、ランナーベース６に引き戸パネル１の走行方向に長い長孔９を穿設し、この長孔９に下側からビスでなる固定具７を挿通すると共に、この固定具７の上端に略円柱状のストッパー片４を螺着結合して、同固定具７及びストッパー片４を移動自在且つ適切となる位置で挟着固定自在に設けてもいる。しかも、断面略Ｌ字型の取付具１０の一辺１１を引き戸パネル１の背面に取着固定し、他辺をランナーベース６として略水平に突設している。
【００２７】
以下、この実施形態の引き戸ストッパー装置を、より詳細に説明する。図１に示す如く、取付具１０は引き戸パネル１の上端部分の背面コーナー付近に取着固定されており、その際、同取付具１０は断面略Ｌ字型でその一辺１１が三本の固定ネジ１２によって取着固定されている。ここで、取付具１０の一辺１１の両端側には上下方向に長い縦孔１３が穿設されており、この両縦孔１３に各々固定ネジ１２が挿通されていて、中央の固定ネジ１２を中心にして同取付具１０を回動させるようにしてその傾きを調整することができ、これにより、同取付具１０の他辺であるランナーベース６を背方へ略水平に突設することができる。
【００２８】
又、図３に示す如く、前記取付具１０の他辺となるランナーベース６は略水平な矩形板状で、その前後両側（前側は戸当り方向側、後側は戸当り方向とは逆側）にストッパー片４とランナー２とが配設されている。ランナーベース６の後側には前後方向に並べて二本の軸片１４が上方へ突設されており、両軸片１４の上端には各々水平方向に回転されるランナー２が回動自在に付設されている。ランナーベース６の前側には前記両ランナー２の並ぶ方向に揃えて同じ線上にストッパー片４が上方へ突設されており、このストッパー片４には下方からビスでなる固定具７が螺着結合される。
【００２９】
この場合、図１、３に示す如く、ランナーベース６に前後方向に長い長孔９が穿設され、この長孔９に下方から固定具７が挿通され、この固定具７の上端にストッパー片４が螺着結合されている。ストッパー片４は略円柱状で内部が中空に形成されており、この中空部分に固定具７の上端が挿入螺合され、この固定具７の頭部と同ストッパー片４とでランナーベース６を挟持する形で固定される。ここで、固定具７とストッパー片４との螺合締め付け状態を緩めると、このストッパー片４は固定具７と共に長孔９に沿って前後方向に移動することができるようになる。
【００３０】
これにより、ストッパー片４をその制動距離が適切となる状態に位置決め調整して、その調整後の位置で固定具７を締め付けて同ストッパー片４を固定することができる。ストッパー片４を位置決め調整して固定するに際しては、図４に示す如く、引き戸パネル１が開閉自在に設置施工された状態のままで、固定具７の頭部にドライバー等の操作具Ｄの先端を係合させて、下方から容易にその調整固定作業を行うことができる。
【００３１】
又、上レール３は下方に開口した断面略コ字型で、その内部を前記ストッパー片４及び両ランナー２がスライドするものであり、その際、両ランナー２は同上レール３の両側内壁面に沿い転動して直線的に走行し、この両側内壁面に同ストッパー片４が摺接することはなくスムーズに走行される。又、上レール３は、図１にも示す如く、断面略Ｌ字型の支持具１５を介して壁面Ｗに取着固定されるものである。
【００３２】
その際、上レール３の上壁部分にネジビス１６とナット１７とで支持具１５が取着され、この支持具１５の水平辺側には上レール３の長手方向に沿って長い横孔１８が穿設されており、この横孔１８に同ネジビス１６が挿通されている。それ故、ネジビス１６とナット１７との螺合を緩め、壁面Ｗに取着固定された支持具１５に対して上レール３をその長手方向に移動させることで、同上レール３の固定位置を調整することができる。
【００３３】
そして、図１、２に示す如く、上レール３の端部開口にはキャップ１９が挿入嵌着されるものである。キャップ１９は合成樹脂成形品であり、これにストッパー受けバネ５が係止取着される。この場合、キャップ１９は下方に開口した断面略コ字型で、その一方の端部が閉塞され、この閉塞側に近接して内部に略角柱状の係合片２０が突設されており、この係合片２０の外側に全体が略Ｕ字状に湾曲したストッパー受けバネ５が巻囲むようにして係止取着される。
【００３４】
又、上レール３の端部開口に挿入嵌着されたキャップ１９は、前記ネジビス１６と係合片２０の中空内部に螺合挿入される結合ビス２１とで抜け外れないよう固定される。そして、キャップ１９の閉塞側と反対側（戸当り方向と反対側）の両側壁端縁には傾斜端面２２が形成されており、この両側の傾斜端面２２には戸当り方向側のランナー２が当止されて、戸当り方向へ走行される引き戸パネル１は制動された後に停止される。なお、図１、４に示す如く、前記上レール３の上側の支持具１５による取付部位は、キャップ１９の端部に一体に立設されたカバー片２３と同上レール３上に取り付けられるカバー体２６とで、外観良く覆い隠される。
【００３５】
図２に示す如く、前記ストッパー受けバネ５は全体が略Ｕ字状に湾曲した形状で、その開口側が戸当り方向とは反対側を向くようにして、前記キャップ１９と共に上レール３の端部内に収容固定されている。そして、略Ｕ字状のストッパー受けバネ５の両辺がバネ片８となって、その開口側から入り込んでくる略円柱状のストッパー片４をその両側から挟持するようにして制動する。ここでは、両バネ片８の間隔が端部側（戸当り方向側）程巾狭く形成されていて、ストッパー片４が同間隔に深く入り込む程徐々に制動力が増大する。
【００３６】
又、この場合、ストッパー受けバネ５の両バネ片８の間隔において、開口側に大きく拡開した導入部Ｓ１を設け、この導入部Ｓ１から深さ方向（戸当り方向）に向かって緩い傾斜で徐々に間隔巾が狭くなる主制動部Ｓ２を設け、深さ方向の最奥側に同間隔巾が一定となる停止部Ｓ３を設けている。それ故、両バネ片８の間隔に導入部Ｓ１からストッパー片４がスムーズに入り込み、このストッパー片４は主制動部Ｓ２で徐々に制動されながら、最終、停止部Ｓ３の所定位置（前記キャップ１９両側の傾斜端面２２にランナー２が当止されたときの位置）で停止される。なお、制動距離の調整度合いによっては、ストッパー片４が主制動部Ｓ２の範囲内で停止されることもある。
【００３７】
図５に示す如く、引き戸パネル１は片引き戸であり、部屋の出入り口となるような開口枠部２４を開閉するもので、所謂アウトセット型のスライディングドアとして施工されるものである。すなわち、開口枠部２４の上枠２５に沿ってその上方の壁面Ｗに上レール３が複数の支持具１５によって取着固定され、ここでは、上レール３が同開口枠部２４の開口巾寸法の約二倍の長さ寸法を有しており、同上レール３の両端部にストッパー受けバネ５を内蔵するキャップ１９が嵌着固定されると共に、同上レール３の上側にはカバー体２６が取り付けられる。
【００３８】
そして、引き戸パネル１の上端部分両側の背面に取付具１０が取着固定されることで、同引き戸パネル１の背方にはランナー２及びストッパー片４を備えたランナーベース６が突設されており、この両取付具１０のランナー２及びストッパー片４を前記上レール３にスライド自在に係合させて取り付ける。又、上レール３に対向して床面Ｆには下レール２７が取着固定されており、この下レール２７には、図４に示す如く、引き戸パネル１の下端部分両側に配設された戸車２８が転動自在に係合されて取り付けられる。
【００３９】
この場合、引き戸パネル１の前後両側にストッパー片４が配設され、上レール３の両端部にストッパー受けバネ５が配設されるだけでなく、下レール２７の両端部にもストッパー具２９が配設固定されているため、同引き戸パネル１は上レール３（下レール２７）の両端側で傾きなく安定して停止される。しかも、引き戸パネル１を勢い良く開けた際、勢い良く閉めた際、いずれの際にも、同引き戸パネル１には制動力が作用してスムーズに停止される。
【００４０】
したがって、この実施形態の引き戸ストッパー装置においては、ストッパー片４がストッパー受けバネ５によって制動され着脱自在に受け止められるため、引き戸パネル１はブレーキ作用により緩やかに走行された後に正確な位置で停止され、その際の衝撃や跳ね返りが防止される。しかも、ストッパー片４を引き戸パネル１の走行方向で移動させ、制動距離が適切となる位置で同ストッパー片４を固定具７にて固定することができるので、制動具合を調整して戸当り時の衝撃や跳ね返りを確実に防止することができ、所望により制動のかかる始点位置を変化調整することもできる。
【００４１】
更に、引き戸パネル１の上端部分の背方に突設されるランナーベース６の上側にストッパー片４が設けられ、このストッパー片４をその制動距離が適切となる位置で固定する固定具７が同ランナーベース６の下側に設けられているため、図４に示す如く、前記制動具合を調整する作業は、同引き戸パネル１の建て付け施工後であっても、開放された下方からドライバー等の操作具Ｄで同固定具７を操作して簡単に行うことができる。
【００４２】
又、この実施形態の引き戸ストッパー装置においては、ストッパー受けバネ５が対向する対のバネ片８を有し、両バネ片８でストッパー片４を挟持して制動し受け止めるものであるため、同ストッパー片４は安定した状態で制動されて受け止められ、正確な位置で確実に停止される。しかも、ストッパー片４を引き戸パネル１の走行方向で移動させることによって、その両バネ片８間に挿入される深さが変化されるもので、これにより、同ストッパー片４の制動距離を調整するものであるため、同制動距離は精度良く微調整され得るものとなっている。
【００４３】
更に、この場合、ストッパー片４を挟持して制動し受け止める両バネ片８の間隔が端部側程巾狭に形成されているため、この両バネ片８間に同ストッパー片４が入る方向では徐々に制動力が大きくなり、逆に、出る方向では徐々に制動力が小さくなって、戸当り時には急ブレーキがかからず、引き戸パネル１を逆方向へ走行させるときには抵抗が徐々に軽くなるので、同引き戸パネル１の開閉動作はスムーズなものとなる。
【００４４】
又、この実施形態の引き戸ストッパー装置においては、ランナーベース６の上側に並設される複数のランナー２の並びに揃えてストッパー片４が突設されているので、各ランナー２の走行に伴って同ストッパー片４はストッパー受けバネ５に対しスムーズに着脱される。しかも、引き戸パネル１の背面に一辺１１が取着固定される断面略Ｌ字型の取付具１０の他辺がランナーベース６として略水平に突設されているので、この取付具１０を同引き戸パネル１の背面に取着固定することによって、ランナー２及びストッパー片４は同引き戸パネル１の上端部分にまとめて容易に設けられ、その取付構造も簡単なものとなっている。
【００４５】
又、この実施形態の引き戸ストッパー装置においては、ランナーベース６に穿設された長孔９に挿通される固定具７をこの長孔９に沿って移動させることにより、同固定具７と共にストッパー片４が引き戸パネル１の走行方向に移動されてその位置調整が簡単に行われる。そして、ストッパー片４が所望の適切位置となった状態で、固定具７を同ストッパー片４に螺合締め付けることにより、両者はランナーベース６に対して確実に挟着固定される。これによって、制動具合の調整作業がより確実で容易なものとなり、そのための構造も簡単となっている。
【００４６】
【発明の効果】
上述の如く、本発明の請求項１記載の引き戸ストッパー装置においては、引き戸パネルが緩やかに走行された後に正確な位置で停止されて、その際の衝撃や跳ね返りも防止される。しかも、制動具合を調整して戸当り時の衝撃や跳ね返りを確実に防止することができ、所望により制動のかかる始点位置を変化調整することもでき、その際、建て付け施工後であっても、開放された下方から固定具を操作して簡単に調整作業を行うことができる。
【００４７】
又、本発明の請求項２記載の引き戸ストッパー装置においては、特に、ストッパー片が安定した状態で制動されて受け止められ、正確な位置で確実に停止される。しかも、ストッパー片を引き戸パネルの走行方向で移動させることでその両バネ片間に挿入される深さが変化されて、これにより、制動距離は精度良く微調整され得るものとなる。
【００４８】
又、本発明の請求項３記載の引き戸ストッパー装置においては、特に、両バネ片間にストッパー片が入る方向では徐々に制動力が大きくなり出る方向では徐々に制動力が小さくなって、引き戸パネルの開閉動作はスムーズなものとなる。
【００４９】
又、本発明の請求項４記載の引き戸ストッパー装置においては、特に、ストッパー片が複数のランナーの並びと揃い、各ランナーの走行に伴って同ストッパー片はストッパー受けバネに対しスムーズに着脱される。
【００５０】
又、本発明の請求項５記載の引き戸ストッパー装置においては、特に、固定具を長孔に沿って移動させることにより、この固定具と共にストッパー片の位置調整が行われ、そして、このストッパー片が適切位置となった状態で同固定具を螺合締め付けることにより、両者は確実に挟着固定されて、制動具合の調整作業がより確実で容易なものとなり、そのための構造も簡単となる。
【００５１】
又、本発明の請求項６記載の引き戸ストッパー装置においては、特に、取付具を引き戸パネルの背面に取着固定することで、ランナーベースが略水平に突設され、ランナー及びストッパー片は同引き戸パネルの上端部分にまとめて容易に設けられるものとなり、その取付構造も簡単となる。
【図面の簡単な説明】
【図１】本発明の一実施形態である引き戸ストッパー装置を示す走行方向に沿った方向での縦断面図。
【図２】同引き戸ストッパー装置における上レールの端部付近に設けられたストッパー受けバネを下方からみた底面図。
【図３】同引き戸ストッパー装置における引き戸パネルの上端部分に設けられたランナーベースを上方からみた平面図。
【図４】同引き戸ストッパー装置における調整作業状態を示す走行方向に直交した方向での縦断面図。
【図５】同引き戸ストッパー装置における引き戸パネル全体の取付状態を示す分解斜視図。
【符号の説明】
１　引き戸パネル
２　ランナー
３　上レール
４　ストッパー片
５　ストッパー受けバネ
６　ランナーベース
７　固定具
８　バネ片
９　長孔
１０　取付具
１１　一辺
【図１】
2004116231.tif 000003
【図２】
2004116231.tif 000004
【図３】
2004116231.tif 000005
【図４】
2004116231.tif 000006
【図５】
2004116231.tif 000007